(57)【要約】【課題】水の自由落下のエネルギーを使用することによってポンプなどの新たな動力源を必要とせず、ろ過材は運転中または休止中に容易に取り外して掃除することができる。【解決手段】下方に貯水槽２を、上方に排気口１２を有し、中間に散水管１０Ａまたは充填物１０を設けた冷水塔１において、散水管１０Ａまたは充填物１０の下方に散水しまたは充填物１０内を流れた水５ｂを集約する集水板１５を横架し、該集水板１５の下方に集水板１６で集約した水５をろ過するろ過材１６を配設したものである。【選択図】          図１
2004245438.tif 000002
【特許請求の範囲】
【請求項１】
下方に貯水槽を、上方に排気口を有し、中間に散水管または充填物を設けた冷水塔において、散水管または充填物の下方に散水しまたは充填物内を流れた水を集約する集水板を横架し、該集水板の下方に集水板で集約した水をろ過するろ過材を配設したことを特徴とする冷水塔。
【請求項２】
ろ過材は、メッシュである請求項１記載の冷水塔。
【請求項３】
ろ過材は、冷水塔の入口付近に設けられた請求項１または請求項２記載の冷水塔。
【発明の詳細な説明】
【０００１】
【発明の属する技術分野】
本発明は、冷水塔に関するものである。
【０００２】
【従来の技術】
工場やプラント内の空調設備や冷凍機などでは、冷媒を冷却するために水が使用されている。空調設備や冷凍機などを冷却して暖められた冷却用水は、冷水塔の上部に導かれて外気によって気化熱が奪われて冷却されると、一旦、貯水槽に貯留し、その後、空調設備や冷凍機などへ循環させて再使用されている。
【０００３】
図２は特許文献１などに部分的に開示された従来の冷水塔の概要図である。図２において、１は冷水塔である。２は冷水塔１の下方に設けた貯水槽である。３は冷水塔１の下部側面の入口に設けた扉である。４は冷水塔１の下部側面に設けた外気取り入れ口である。５は貯水槽２内に貯留された冷却用水である。６は貯水槽２内の水５を工場やプラント内の各設備（空調設備や冷凍機など）８へ送給する水送給管である。７は水送給管６の中間に設けたポンプである。９は各設備８で使用された水を冷水塔１へ送給する水送給管である。１０は冷水塔１内に設けた波板や邪魔板などの充填物で、水送給管９によって送給された水５をフィルム状の水膜や細かい水滴５ａにする。なお、水送給管９の先端は充填物１０に接続されている。１２は冷水塔１の上方に設けた排気口である。１１は排気口１２内に設けたファンで、外気取り入れ口４から外気１３を吸入する。１３ａは外気１３が水滴５ａと接触して湿った空気、１３ｂは排気口１２から排出された空気である。１４はポンプ７前方の水送給管６に設けた吸入ストレーナである。
【０００４】
【特許文献１】
特開平５−３４０８１号公報
【０００５】
工場やプラント内の各設備８を冷却して暖められた冷却用水５は、冷水塔１の上部に導かれて冷却充填物１０によってフィルム状の水膜や細かい水滴になった水５ａは、ファン１１によって吸入された外気１３と直接接触することによって気化熱が奪われて冷却される。冷却された水５ａは貯水槽２内に落下して一時的に貯留され、貯水槽２から水送給管６を介してポンプ７により各設備８へ送給されて循環する。
【０００６】
このように、冷水塔１と工場やプラント内の各設備８との間で水５を循環させて再使用している間または冷水塔を休止した後、再起動するとき、冷水塔内に吹き込んだごみ、異物、砂などが水５中に混入してしまう。そこで、これら水５中に混入したごみ、異物、砂などは、ポンプ１０に取り付けた吸入ストレーナ１４でろ過したり、水送給管９に分岐して設けた、図示しないサイドフィルタ設備でろ過したりして除去するようにしていた。
【０００７】
【発明が解決しようとする課題】
しかしながら、水中に混入したごみなどを吸入ストレーナでろ過する場合は、吸入ストレーナの清掃のため面倒な作業が発生する。また、サイドフィルタ設備でろ過する場合は、水送給管から分岐して水をサイドフィルタ設備へ送給するためのポンプなどの新たな動力源が必要となる。さらに貯水槽の底部に溜まったごみなどを必要に応じ清掃する必要があるが、その作業も面倒である。
【０００８】
本発明は、従来技術のかかる問題点に鑑み案出されたもので、冷水塔の上方から散水または充填物内を流れた水を冷水塔内の下方部で集約し、集約した水をろ過材を通してろ過し、水の自由落下のエネルギーを使用することによってポンプなどの新たな動力源の発生をなくし、ろ過材は運転中または休止中に容易に取り外して掃除することができ、また、貯水槽底部の清掃作業も低減できる冷水塔を提供することを目的とする。
【０００９】
【課題を解決するための手段】
上記目的を達成するため、本発明の冷水塔は、下方に貯水槽を、上方に排気口を有し、中間に散水管または充填物を設けた冷水塔において、散水管または充填物の下方に散水しまたは充填物内を流れた水を集約する集水板を横架し、該集水板の下方に集水板で集約した水をろ過するろ過材を配設したものである。
【００１０】
ろ過材は、メッシュであるのが好ましい。
【００１１】
また、ろ過材は、冷水塔の入口付近に設けられるのが好ましい。
【００１２】
次に本発明の作用を説明する。冷水塔内に、貯水槽の水を循環させて散水する散水管を設け、該散水管の下方に、散水管から散水された水を集約する集水板を横架し、該集水板の下方に集水板で集約した水を通してろ過するろ過材を配設して水の自由落下のエネルギーを使用するので、ポンプなどの新たな動力源を必要とせず、ろ過材は運転中または休止中に容易に取り外して掃除することができる。また、水が貯水槽内に落下する前にろ過材でろ過するので、貯水槽底部の清掃作業も低減できる。
【００１３】
【発明の実施の形態】
以下、本発明の一実施形態について図面を参照しつつ説明する。図１は本発明の冷水塔の概要図である。図３は集水板およびろ過材の平面図である。なお、図２を用いて説明した従来の冷水塔と共通するものは同じ符号を付して説明する。図１において、１は冷水塔、２は冷水塔１の下方に設けた貯水槽である。３は冷水塔１の下部側面の入口に設けた扉、４は冷水塔１の下部側面に設けた外気取り入れ口である。なお、図示していないが、扉３側にも外気取り入れ口が設けられることもある。５は貯水槽２内に貯留された冷却用水である。６は貯水槽２内の水５を工場やプラント内の各設備（空調設備や冷凍機など）８へ送給する水送給管で、７は水送給管６の中間に設けたポンプである。９は工場やプラント内の各設備８で使用された水５を冷水塔１へ送給する水送給管である。１０Ａは冷水塔１内に設けた複数の散水孔１０ａを有する散水管で、水送給管９によって送給された水を細かい水滴５ａにして散水する。１２は冷水塔１の上方に設けた排気口である。１１は排気口１２内に設けたファンで、外気取り入れ口４から外気１３を吸入する。１３ｂは排気口１２から排出された空気である。１５は散水管１０Ａの下方に横架した集水板である。集水板１５は、中間が入口の扉３側に向って斜めに傾斜し、その左右側も内方に向って傾斜していて落下した水滴５ｂを低い方の側に集約する。１５ａは左右側の傾斜面であり、１５ｂは集水板１５の下方に設けた開口である。１６は集水板１５の開口１５ｂに引き出し可能に設けた集約した水５を通してろ過するメッシュのろ過材である。ろ過材１６は、枠体の下面にメッシュを張ったもので、入口の扉３を開いて簡単に引き出して掃除することができる。なお、ろ過材１６のメッシュの大きさは、使用する水質や目的によって適宜選定される。
【００１４】
上記散水管１０Ａから散水された細かい水滴５ｂは、ファン１１によって吸入された外気１３と直接接触することによって気化熱が奪われて冷却される。冷却された水５は、散水管１０Ａの下方に横架した集水板１５で集約され、集水板１５の下方に設けたろ過材１６を通ってろ過されて水５ｃとなって貯水槽２内に落下して一時的に貯留され、貯水槽２から水送給管６を介してポンプ７により工場やプラント内の各設備８に再び送給されて循環する。
【００１５】
次に本実施形態の作用を説明する。冷水塔１内に、貯水槽２の水５を循環させて散水する散水管１０Ａを設け、該散水管１０Ａの下方に、散水管１０Ａから散水された水５ｂを集約する集水板１５を横架し、該集水板１５の下方に集水板１５で集約した水を通してろ過するろ過材１６を配設して水の自由落下のエネルギーを使用するので、ポンプ７などの新たな動力源を必要とせず、ろ過材１６は運転中または休止中に容易に取り外して掃除することができる。また、水が貯水槽２内に落下する前にろ過材１６でろ過するので、貯水槽２底部の清掃作業も低減できる。
【００１６】
本発明は、以上述べた実施形態に限定されるものではなく、発明の要旨を逸脱しない範囲で種々の変更が可能である。たとえば、上記実施形態では散水管１０Ａを用いることで説明したが、散水管１０Ａの代わりに、図２の充填物１０であってもよい。
【００１７】
【発明の効果】
以上述べたように、本発明の冷水塔は、冷水塔内の上方から散水された水または充填物内を流れた水を下方の集水板で集約し、集約した水をろ過材を通してろ過するので、ポンプなどの新たな動力源を必要とせず、ろ過材は運転中または休止中に容易に取り外して掃除することができる。また、水が貯水槽内に落下する前にろ過するので、貯水槽底部の清掃作業も低減できるという優れた効果を奏する。
【図面の簡単な説明】
【図１】本発明の冷水塔の概要図である。
【図２】従来の冷水塔の概要図である。
【図３】集水板およびろ過材の平面図である。
【符号の説明】
１      冷水塔
２      貯水槽
３      扉
４      外気取り入れ口
５      水
６      水送給管
７      ポンプ
８      工場やプラント内の各設備
９      水送給管
１０      充填物
１０Ａ      散水管
１０ａ      散水孔
１１      ファン
１２      排気口
１３      外気
１４      吸入ストレーナ
１５      集水板
１５ａ      傾斜面
１５ｂ      開口
１６      ろ過材
【図１】
2004245438.tif 000003
【図２】
2004245438.tif 000004
【図３】
2004245438.tif 000005